(57)【要約】【課題】強度及び耐火性能の高い引戸用戸袋構造を提供する。【解決手段】戸袋内に引戸を収納し且つ引き出して開閉できる住宅の引戸用戸袋構造において、当該引戸を収納できる収納部を構成する壁面部10の構造である。当該壁面部10の骨組構造が水平方向に配設される複数の金属製横枠体11と、これら複数の金属製横枠体11の両端部に配設される金属製縦枠体12とからなる。横枠体11が角部を略直角とした横断面略Ｓ字形状を有し、前記縦枠体12が前記横枠体11の端部を嵌合できる嵌合部を有する横断面略コ字形状の鋼材からなる。【選択図】図１
2018123604.tif 000002
【特許請求の範囲】
【請求項１】
戸袋内に引戸を収納し且つ引き出して開閉できる住宅の引戸用戸袋構造において、
当該引戸を収納できる収納部を構成する壁面部の構造であって、
当該壁面部の骨組構造が水平方向に配設される複数の金属製横枠体と、これら複数の金属製横枠体の両端部に配設される金属製縦枠体とからなることを特徴とする引戸用戸袋構造。
【請求項２】
前記横枠体が角部を略直角とした横断面略Ｓ字形状を有する鋼材からなり、前記縦枠体が前記横枠体の端部を嵌合できる嵌合部を有する横断面略コ字形状を有する鋼材からなることを特徴とする請求項１に記載の引戸用戸袋構造。
【請求項３】
前記断面略コ字形状の縦枠部材は、底面部とその両端部から延長する両側面部とからなり、一方の側面部を他方の側面部よりもその延長長さを長く形成し、当該延長長さの長い他方の側面部を戸袋側に配置したことを特徴とする請求項１又は２に記載の引戸用戸袋構造。
【請求項４】
前記骨組構造における横枠体が上端部と下端部に配設され、これら両端部間には複数の横枠体が配設され、前記上端部と下端部に配設される横枠体には予め複数の孔部が形成され、これらの孔部を利用して、戸袋の上部に配設される横桟及び床材に螺子を用いて螺着できることを特徴とする請求項１乃至３の何れか１項に記載の引戸用戸袋構造。
【請求項５】
前記横枠体と前記縦枠体とからなる骨組構造のうち、上端部と下端部に配設される横枠体を木製の角材から構成したことを特徴とする請求項１乃至３の何れか１項に記載の引戸用戸袋構造。
【請求項６】
前記両縦枠体の外側にそれぞれ木製柱を配設し、前記横枠体と縦枠体との骨組構造の両側面には壁材を配設したことを特徴とする請求項１乃至５の何れか1項に記載の引戸用戸袋構造。
【請求項７】
前記金属製の横枠体及び縦枠体が、少なくとも板厚０．４ｍｍ〜０．８ｍｍの範囲内にあることを特徴とする請求項１乃至６の何れか1項に記載の引戸用戸袋構造。
【請求項８】
前記縦枠体の両側面部の開口部の間隔がその底面部の幅よりも狭く、両側面部が横枠体を挟持して仮止めできることを特徴とする請求項２乃至７の何れか１項に記載の引戸用戸袋構造。
【請求項９】
工場内で、横断面角型の略S字形状の複数の横枠体を略水平に所定間隔で配設し、これらの両端部を横断面略コ字形状の縦枠体によって挟持固定して骨組構造を作製し、その後設置現場にて引戸用戸袋構造の骨組構造として設置できることを特徴とする引戸用戸袋構造の施工方法。
【発明の詳細な説明】
【技術分野】
【０００１】
本発明は、住宅用の引戸の戸袋構造に関し、とりわけ戸袋構造の戸袋部の壁面を構成する骨組構造の改良に関するものである。
【背景技術】
【０００２】
従来の戸建住宅等の引戸構造としては、出入口が形成される壁面に引戸構造が配設され、この引戸構造の戸袋部に引戸が収納され且つ引き出され、その出入口が開閉される形態のものである。
そして、この戸袋部を形成する壁面部（戸袋壁）が設けられるが、この壁面部は、引戸の一方の側にのみ設けられたものと、その両側に設けられたものとが存在する。
【０００３】
本発明においては、この壁面部の構造に係るものであるが、上記従来の壁面部構造においては、その骨組構造として両端部の木製支柱とその間に配設される複数の木製中間柱と両側面に配設される石膏ボード等の壁材とから構成されている。
或いは、上記骨組構造に加えて横方向の木製横桟を配したものも存在する。
【発明の概要】
【発明が解決しようとする課題】
【０００４】
本発明においては、従来の木造戸袋構造とは異なる発想に基づき、木材に拘泥せずに、例えば鋼材等の金属製の枠体材料を用いて、その強度並びに耐火性能を向上させた戸袋構造を提供することをその第一の課題としている。
そして、上記金属製のものを採用するに際して、その鋼材等の金属製の枠体の形態として如何なる形態のものが最適なものであるかを鋭意研究し、開発することをその課題としている。
【課題を解決するための手段】
【０００５】
上記課題を解決するために、本発明の第１のものは、戸袋内に引戸を収納し且つ引き出して開閉できる住宅の引戸用戸袋構造において、当該引戸を収納できる収納部を構成する壁面部の構造であって、当該壁面部の骨組構造が水平方向に配設される複数の金属製横枠体と、これら複数の金属製横枠体の両端部に配設される金属製縦枠体とからなることを特徴とする引戸用戸袋構造である。
【０００６】
本発明の第２のものは、上記第１の発明において、前記横枠体が角部を略直角とした横断面略Ｓ字形状を有し、前記縦枠体が前記横枠体の端部を嵌合できる嵌合部を有する横断面略コ字形状の鋼材からなることを特徴とする引戸用戸袋構造である。
【０００７】
本発明の第３のものは、上記第１又は第２の発明において、前記断面略コ字形状の縦枠部材は、底面部とその両端部から延長する両側面部とからなり、一方の側面部を他方の側面部よりもその延長長さを長く形成し、当該延長長さの長い他方の側面部を戸袋側に配置したことを特徴とする引戸用戸袋構造である。
【０００８】
本発明の第４のものは、上記第１乃至第３の発明において、前記骨組構造における横枠体が上端部と下端部に配設され、これら両端部間には複数の横枠体が配設され、前記上端部と下端部に配設される横枠体には予め複数の孔部が形成され、これらの孔部を利用して、戸袋の上部に配設される横桟及び床材に螺子を用いて螺着できることを特徴とする引戸用戸袋構造である。
【０００９】
本発明の第５のものは、上記第１乃至第３の何れかの発明において、前記横枠体と前記縦枠体とからなる骨組構造のうち、上端部と下端部に配設される横枠体を木製の角材から構成したことを特徴とする引戸用戸袋構造である。
【００１０】
本発明の第６のものは、上記第１乃至第５の何れかの発明において、前記両縦枠体の外側にそれぞれ木製柱を配設し、前記横枠体と縦枠体との骨組構造の両側面には壁材を配設したことを特徴とする引戸用戸袋構造である。
【００１１】
本発明の第７のものは、上記第１乃至第６の何れかの発明において、前記横枠体及び縦枠体が、少なくとも板厚０．４ｍｍ〜０．８ｍｍの範囲内にあることを特徴とする引戸用戸袋構造である。
【００１２】
本発明の第８のものは、上記第２乃至第７の何れかの発明において、前記縦枠体の両側面部の開口部の間隔がその底面部の幅よりも狭く、両側面部が横枠体を挟持して仮止めできることを特徴とする引戸用戸袋構造である。
【００１３】
本発明の第９のものは、工場内で、横断面角型の略S字形状の複数の横枠体を略水平に所定間隔で配設し、これらの両端部を横断面略コ字形状の縦枠体によって挟持固定して骨組構造を作製し、その後設置現場にて引戸用戸袋構造の骨組構造として設置できることを特徴とする引戸用戸袋構造の施工方法である。
【発明の効果】
【００１４】
本発明の第１のものにおいては、戸袋内に引戸を収納し且つ引き出して開閉できる住宅の引戸用戸袋構造であって、当該引戸を収納できる収納部を構成する壁面部の構造として、当該壁面部の骨組構造が水平方向に配設される複数の金属製横枠体と、これら複数の金属製横枠体の両端部に配設される金属製縦枠体とから形成されているために、従来の木材性のものと比較すると、その強度が向上する。
【００１５】
同様に金属製であるために、その耐火性能も従来のものよりも向上するものとなる。
更に、従来の構成では、木材特有の経年変化による反り・ねじれ等の発生により引き戸の開閉が閉まりにくい現象が発生していたけれども、本発明に係る金属製骨組みでは木材に比べて経年変化が無く、引き戸の開閉が円滑にできることから生活環境を向上させることが可能となる。
【００１６】
本発明の第２のものにおいては、前記横枠体と縦枠体の形態を限定したものであって、即ち、前記横枠体が角部を略直角とした横断面略Ｓ字形状を有し、前記縦枠体が前記横枠体の端部を嵌合できる嵌合部を有する横断面略コ字形状の鋼材からなるものである。
当該形態を採用することにより、より強度が高く、施工も容易となる。
【００１７】
本発明の第３のものにおいては、前記縦枠体の形態を更に限定したものであり、即ち、前記断面略コ字形状の縦枠部材は、底面部とその両端部から延長する両側面部とからなり、一方の側面部を他方の側面部よりもその延長長さを長く形成し、当該延長長さの長い他方の側面部を戸袋側に配置したものである。
【００１８】
本発明の第４のものにおいては、前記骨組構造における横枠体が上端部と下端部に配設され、これら両端部間には複数の横枠体が配設され、前記上端部と下端部に配設される横枠体には予め複数の孔部を形成し、これらの孔部を利用して、戸袋の上部に配設される横桟及び床材に螺子を用いて螺着できるようにしたものである。施工の容易化を図ったものである。
【００１９】
本発明の第５のものにおいては、上記骨組構造において横枠体の上端部と下端部のものとして木製角材を使用したものである。
このように、実施態様の一例として横枠体の一部に木製角材を用いることができる。
【００２０】
本発明の第６のものは、前記骨組構造を有する引戸用戸袋構造として特定し、限定したものである。
【００２１】
本発明の第７のものは、前記金属製の横枠体及び縦枠体の厚みを特定したものである。その効果は、上記発明と同じである。
【００２２】
本発明の第８のものにおいては、前記縦枠体の両側面部の開口部の間隔がその底面部の幅よりも狭く形成したために、両側面部が横枠体を挟持して、仮止めすることができることとなる。
【００２３】
本発明の第９のものにおいては、工場内で、横断面角型の略S字形状の複数の横枠体を略水平に所定間隔で配設し、これらの両端部を横断面略コ字形状の縦枠体によって挟持固定して骨組構造を作製し、その後設置現場にて引戸用戸袋構造の骨組構造として設置できるため、現場施工時間の短縮が可能となる。
【図面の簡単な説明】
【００２４】
【図１】本発明の引戸用戸袋構造に係る一実施形態を示す斜視説明図である。
【図２】上記実施形態を示す正面説明図である。
【図３】図２のＶ−Ｖ線断面図である。
【図４】一部を切り欠いた図２のＨ−Ｈ線断面図である。
【図５】上記実施形態に係る戸袋構造の横枠体と縦枠体を示し、その（Ａ）が横枠体を、その（Ｂ）が縦枠体を示している。
【発明を実施するための形態】
【００２５】
以下、添付の図面と共に本発明の実施形態につい説明する。
図１は、本発明の引戸用戸袋構造に係る一実施形態を示す斜視説明図である。
図２は、上記実施形態を示す正面説明図である。
これらの図では、引戸の収納部は紙面の向こう側に位置し、内部構造が解るように手前側の壁材を取り外した状態に描いている。
【００２６】
この実施形態に係る戸袋構造では、引戸の収納部は、この収納部を構成する壁面部１０の向こう側、つまり紙面の裏側に位置する。
そして、この実施形態では、当該壁面部１０は、手前側の片側にのみ存在し、引戸はその壁面部１０に沿うように壁面部１０の向こう側の収納部に引き入れられ且つ引き出される形態である。
【００２７】
出入口２０は正面側から見て左側に位置し、右側には収納部を構成する壁面部１０が位置する。
本発明においては、この壁面部１０の構造に特徴がある。
【００２８】
即ち、この壁面部１０は、水平方向の横方向に配設された複数の鋼製の横枠体１１と、これらの横枠体１１の両端部で縦方向に配設される鋼製の縦枠体１２とから構成される。
これらの横枠体１１の上端部と下端部に配設される横枠体１１ｗ、１１ｗは、木製角材を使用してなり、中央部の３本の横枠体１１が鋼製のものからなる。
【００２９】
このように横枠体は、その上端部と下端部の木製角材からなる横枠体１１ｗ、１１ｗと、その間に配設される３本の鋼製の横枠体１１が同一間隔で配設されている。
勿論のこととして、上記横枠体の全てを鋼製のものとして実施することもできる。
【００３０】
この鋼製の横枠体１１は、後に説明するが、横断面形状が角型のＳ字形状を有している。
縦枠体１２は、上記の複数の横枠体１１の端部を包み込むように嵌合出来る横断面形状が略コ字形状を有しているが、具体的には後の図を用いて説明する。
【００３１】
上記の横枠体１１と縦枠体１２との骨組構造体の手前側及び向こう側の両側に石膏ボード等の壁材が接合される。
壁側の上記縦枠体１２の外側には木材支柱１３が配設され、出入口２０側の縦枠体１２の外側には出入口２０を構成する木材製枠材１４が配設され、上端部の横枠体１１ｗの上には木製横桟１５が、下端部の横枠体１１ｗの下面には床材１６が配設される。
【００３２】
このように、本発明に係る引戸用戸袋構造は、上端部及び下端部に配設される木製横枠体１１ｗと、その間に配設される３本の金属製、つまり鋼製の横枠体１１と両側の縦枠体１２とから構成されており、強度が高く、曲げや歪にも強いものとなっている。
当然、耐火性能も木材製のものよりも高いものとなる。
【００３３】
図３は、図２のＶ−Ｖ線断面図である。
図４は、一部を切り欠いた図２のＨ−Ｈ線断面図である。
図５は、上記実施形態に係る戸袋構造の横枠体と縦枠体を示し、その（Ａ）が横枠体を、その（Ｂ）が縦枠体を示している。
【００３４】
図３及び図５（Ａ）から金属製の横枠体１１の形態を見て取ることができる。
即ち、この横枠体１１は、角部が略直角の横断面略Ｓ字形状を有し、図５（Ａ）の状態で略水平方向の中間部に３本、図３に示した状態で配設される。
【００３５】
この横枠体１１の横幅は、略コ字形状の縦枠体１２の空間部１２ｈの幅と略同一に形成する。
そして、横枠体１１の両側の側面部１１ｓ、１１ｓの長さは同一にする。
これら５本の横枠体１１ｗ、１１の両端部に縦枠体１２が嵌合する。
【００３６】
図４及び図５（Ｂ）から縦枠体１２の形態を見て取ることができる。
即ち、この縦枠体１２は、横断面略コ字形状を有し、その略コ字形状の空間部１２ｈを形成する両側面１２ｓ、１２ｔと底面１２ｂの３つの面で、横枠体１１の端部をきっちりと嵌合させることができるものである。
【００３７】
この実施形態では、上記空間部１２ｈを形成する側面１２ｓを他方の側面１２ｔよりも長く形成し、この長く形成された側面１２ｓは、戸袋の収納部２１の側に配設している。
即ち、引戸が引き入れられる側の壁面に配置している。
引戸側の壁面の歪や曲げを最小限に抑制するためである。
【００３８】
更に、この縦枠体１２の開口部の間隔（幅）を底面部１２ｂの幅ｔよりも小さく設定しておくことにより、鋼材の有する弾性により、両側面部１２ｓ、１２ｓによって嵌合挟持される横枠体１１、１１ｗの端部を一時的に保持でき、仮止め機能を付加することもできる。
【００３９】
以上、本発明の実施形態について説明したが、その実施形態については種々設計変更することが可能である。
先ず、横枠体の中間部の配設本数は必要に応じて自由に設計変更することができるが、少なくとも上端部と下端部には木製或いは金属製のものを配設することが望ましい。
【００４０】
配設間隔も適宜変更することができ、同一間隔でなくともよい。
更に、横断面形状も、必ずしも角型のＳ字形状でなくともよく、鋼製の角型管（横断面矩形形状）、角型のＣ字形状（いわゆるＣ型チャンネル材）のもの等々、各種の角型鋼材を利用することができる。
【００４１】
更に、これらの金属製の横枠体においては、これが配設される上端部と下端部のものにあっては、上部の横桟及び下部の床材に螺子によって螺着されるのであるが、このたのめの螺子孔としての孔部をこれらの横枠体に穿設しておくことが好ましい。施工の容易化のためであるが、この孔部は、単なる丸穴或いは長孔によって形成することができる。
【００４２】
他方、縦枠体についても、横断面コ字形状でなく、角型鋼管を利用することもでき、この場合には螺子等の固定手段により横枠体と固定されることとなる。
この場合には、予め螺子挿通孔或いは螺子孔を縦枠体及び横枠体に設けておくことが好ましい。
【００４３】
尚、上記した通り、金属製の横枠体の一部のもの（取り分け上端部と下端部）を木材製の角材を用いることも可能である。
この場合、当然に角材製の横枠体の横幅と鋼製の断面略Ｓ字形状の横枠体の横幅は同一として、同じ縦枠体によって共に挟持・固定できるように構成する。
【００４４】
同様に、縦枠体に関しても、断面略コ字形状を有し、上記横枠体の端部を嵌合できる空間部を有していればよい。
上記鋼製板材からなる横枠体及び縦枠体の厚みは、略０．４ｍｍ乃至０・８ｍｍ程度のものを使用することが好ましい。
当該厚みも適宜必要に応じて変更することができる。
【００４５】
上記横枠体と縦枠体からなる骨組構造体の両側面には、各種の素材から成る壁材を接合することができる。
また、引戸の収納部の両側に上記本発明に係る壁面部を設けて、引戸を戸袋の収納部の内部に収納して、出入り口の両側の外部から見えない形態の戸袋構造とすることもできる。
【００４６】
以上の通り、本発明に係る引戸用戸袋構造においては、その引戸を収納できる収納部の壁面部の構造として金属製の横枠体と縦枠体とを用いて構成し、強度の高い、耐火性能の高い戸袋構造を提供できたものである。
【符号の説明】
【００４７】
１０  壁面部
１１、１１ｗ  横枠体
１２  縦枠体
１３  支柱
１４  枠材
１５  横桟
１６  床材
２０  出入口
２１  収納部
【図１】
2018123604.tif 000003
【図２】
2018123604.tif 000004
【図３】
2018123604.tif 000005
【図４】
2018123604.tif 000006
【図５】
2018123604.tif 000007